(57)【要約】【課題】レンジフードファンのような前面が山形に膨らんだ出っ張りをなす略六面体の物品の包装に反復利用できる包装装置を開発する。【解決手段】前面が二面の傾斜面３，４により山形に膨らんだ出っ張り１をなす略六面体の物品２に対する包装装置について、その物品２の下面全体と上面全体をそれぞれ保護する二枚のシート状緩衝材７と、物品２の左右を各シート状緩衝材７の端縁部とともに包込む、平面部１１の周囲に周側壁１２を立上げた左右の包装容器８と、左右の包装容器８と物品２の出っ張り１の傾斜面３で形成される略三角形の空間に両端が詰められ、包装容器８間を跨ぐ角筒形緩衝材９と、これら全体を結束するＰＰバンド１０とからなり、包装容器８を発泡ポリプロピレンの一体成形物で構成する。【選択図】          図２
2005029190.tif 000002
【特許請求の範囲】
【請求項１】
前面が二面の傾斜面により山形に膨らんだ出っ張りをなす略六面体の物品に対する包装装置であって、その物品の下面全体と上面全体をそれぞれ保護する二枚のシート状緩衝材と、同物品の左右を前記各シート状緩衝材の端縁部とともに包込む、平面部の周囲に周側壁を立上げた左右の包装容器と、前記左右の包装容器と前記物品の出っ張りの傾斜面で形成される略三角形の空間に両端が詰められ、前記包装容器間を跨ぐ角筒形緩衝材と、これら全体を結束する結束バンドとからなり、前記包装容器を発泡ポリプロピレンの一体成形物で構成した包装装置。
【請求項２】
前面が二面の傾斜面により山形に膨らんだ出っ張りをなす略六面体の物品に対する包装装置であって、その物品の前記出っ張りに対向する背面を下にして、この背面全体を保護するシート状緩衝材と、同物品の上下を前記シート状緩衝材の端縁部とともに包込む、平面部の周囲に周側壁を立上げた上下の包装容器と、前記上下の包装容器と前記物品の出っ張り斜面で形成される略三角形の空間に両端が詰められ、前記包装容器間に掛けわたされる角筒形緩衝材と、これら全体を結束する結束バンドとからなり、前記包装容器を発泡ポリプロピレンの一体成形物で構成した包装装置。
【請求項３】
請求項１又は請求項２のいずれかに記載の包装装置であって、シート状態緩衝材と角筒形緩衝材を発泡ポリプロピレンシートにて構成した包装装置。
【請求項４】
請求項１〜請求項３のいずれかに記載の包装装置であって、包装容器に物品の出っ張りの傾斜面に沿う一体の斜状のリブを設けた包装装置。
【請求項５】
請求項１〜請求項３までのいずれかに記載の包装装置であって、角筒形緩衝材の斜面を物品の出っ張りを形成する傾斜面のうちの広い面に沿わせた包装装置。
【請求項６】
請求項１又は請求項３又は請求項４のいずれかに記載の包装装置であって、包装容器の横幅を物品の出っ張りより突出すように広く構成した包装装置。
【請求項７】
請求項１又は請求項２のいすせれかに記載の包装装置であって、角筒形緩衝材を段ボール紙等の折曲げにより形成し、その上下方向又は横方向の面のいずれかを二重構造にした包装装置。
【請求項８】
請求項１〜請求項７までのいずれかに記載の包装装置であって、角筒形緩衝材に物品の付属品を収納した包装装置。
【請求項９】
請求項１〜請求項８までのいずれかに記載の包装装置であって、包装容器の角部に結束バンドを掛回す凹部を形成した包装装置。
【発明の詳細な説明】
【０００１】
【発明の属する技術分野】
本発明は、例えばレンジフードファンのような一面が山形に膨らんだ出っ張りを持つ略六面体の物品を包装するための包装装置に関するものである。
【０００２】
【従来の技術】
前面が山形に膨らんだ出っ張りをなした略六面体の物品に対する包装装置としては、出っ張りを上にした物品を左右から段ボール紙よりなる一面の開放した箱状の包装材で内包して、全体をベルトで結束したものがある。（例えば、特許文献１参照）。
【０００３】
【特許文献１】
特開２００１−２１４２号公報（図１１）
【０００４】
【発明が解決しようとする課題】
上記した従来の包装装置においては、略全体が段ボール紙で出来ていて、廃却性もリサイクル性も有り、包装材も少なくなっている。しかしながら、物品が手許に届けば包装装置は不要となり処分され、再度使われるようなことはなく、せいぜい段ボール材の部材をリサイクルに回すことしかないのが現状である。資源の有効利用や環境保護の観点に立った包装装置の開発が望まれている。
【０００５】
本発明は、係る従来の問題点を解決するためになされたものであって、その課題とするところは、レンジフードファンのような前面が山形に膨らんだ出っ張りをなす略六面体の物品の包装に反復利用できる包装装置を開発することであり、リサイクルも利く包装装置を開発することであり、その包装装置の緩衝保護機能の向上を図ることである。
【０００６】
【課題を解決するための手段】
前記課題を達成するために本発明は、前面が二面の傾斜面により山形に膨らんだ出っ張りをなす略六面体の物品に対する包装装置について、その物品の下面全体と上面全体をそれぞれ保護する二枚のシート状緩衝材と、物品の左右を各シート状緩衝材の端縁部とともに包込む、平面部の周囲に周側壁を立上げた左右の包装容器と、左右の包装容器と物品の出っ張りの傾斜面で形成される略三角形の空間に両端が詰められ、包装容器間を跨ぐ角筒形緩衝材と、これら全体を結束する結束バンドとから構成し、包装容器についてはこれを発泡ポリプロピレンの一体成形物で、構成する手段を採用する。
【０００７】
上記手段を採用することにより、包装装置の中核構造部分である包装容器と上記二枚のシート状緩衝材・角筒形緩衝材を発泡ポリプロピレンにて構成した場合は、反復利用でき通い箱方式で繰り返し包装に供することができる。そして、包装容器は発泡ポリプロピレンの一体成形物であるため、反復利用後にはリサイクルすることもできる。
【０００８】
【発明の実施の形態】
実施の形態１．
図１は、被包装物品を示す側面図、図２は包装形態を示した縦断側面図、図３は包装形態を示した横断平面図、図４は包装容器の断面図、図５は包装容器の平面図、図６はシート状緩衝材を示す斜視図、図７は角筒形緩衝材の斜視図である。本実施の形態の包装装置は、図１に示すような前面が山形に膨らんだ出っ張り１をなす略六面体の形状をした例えば、レンジフードファンのような物品２の包装に供するものである。レンジフードファンは、下面の開放したフードに送風機が組込まれている。フードの上面と背面は平面構成で、前面は大きな傾斜面３と小さな傾斜面４とで形成された山形に膨らんだ出っ張り１をなしている。上面には、取外し可能の幕板と、ダクト接続口が取付けられている。また、下面に構成された吸込口には、これも取外し可能のオイルフィルタが装着されている。出っ張り１の下面側の小さい傾斜面４にはスイッチ等を有する操作部５が設けられている。
【０００９】
このレンジフードファンは、グリスフィルタとダクト接続口並びに幕板を付属品６として取外した状態で包装される。包装装置は、二枚のシート状緩衝材７と、一対の包装容器８と、角筒形緩衝材９と、ＰＰバンド１０とで構成されている。シート状緩衝材７は、図６に示すように段ボール紙等を平板態にしたもの又は発泡ポリプロピレンシートで、物品２の下面全体と上面全体に当て沿わされ、これらの両面を保護する。二個の包装容器８は、平面部１１の周囲に周側壁１２を立上げた図４及び図５に示すような、発泡ポリプロピレンの一体成形物である。包装容器８の横幅は、物品２の出っ張り１より突出すように広く構成されており、長辺が作る角部の四ヶ所には、ＰＰバンド１０を掛回す凹部１３が形成されている。この包装容器８は、物品２の両側を各シート状緩衝材７の端縁部とともに包込む。
【００１０】
包装容器８のこうした構成は、二つの包装容器８を一つの金型で成形できる利点とともに、物品２の出っ張り１より突出すように広くなっているためスイッチ等のある操作部５の保護機能も果たす。そしてＰＰバンド１０のずれも起き難く、安定した包装形態が保たれる。
【００１１】
角筒形緩衝材９は図７に示すように段ボール紙を折曲げ、直角を成す一辺を二重構造１４にした直角三角形の端面形状をした緩衝材である。この角筒形緩衝材９は、前面側の包装容器８と物品２の出っ張り１の広い傾斜面３で形成される略直角三角形の空間に両端が詰められ、包装容器８間を跨ぐ状態に装着される。二重構造１４の辺を水平方向に設定すれば、横方向の荷重に強い緩衝機能を果たし、垂直方向に設定すれば、縦方向の荷重に強い緩衝機能を果たす。
【００１２】
グリスフィルタやダクト接続口並びに幕板等の付属品６は、角筒形緩衝材９の中に収納され、包装によってできる余分な空間を有効に利用して包装される。最後に左右の包装容器８の凹部１３にＰＰバンド１０を嵌め込み得る位置に掛回し、全体を結束することにより完成した包装形態となる。
【００１３】
この包装形態は、物品２を横向きにしたものであるが図８や図９に示すように縦向きにした包装形態を採ることも可能である。この場合には、物品２の背面が下になり、出っ張り１が上になる。シート状緩衝材７は、背面全体を保護するものが採用される。角筒形緩衝材９は二重構造１４が垂直方向になるように装着される。
【００１４】
この包装装置は、包装装置の中核構造部分である包装容器８が、反復利用できる通い箱方式で繰り返して物品２の包装に供することができる。そして、包装容器８は発泡ポリプロピレンの一体成形物である為反復利用後には廃却せずにリサイクルに回すこともできる。シート状緩衝材７及び角筒形緩衝材９を段ボール等で構成の場合はについては反復利用することはできないが、これらは、再生紙にリサイクルでき、資源の有効利用と環境保護に寄与することができる。
【００１５】
シート状緩衝材７及び角筒形緩衝材９も、発泡ポリプロピレンシートで構成することもできる。この構成を採用することにより、包装装置の緩衝性能が向上するとともに、包装装置の略全部を通い箱方式として反復利用でき、最終的には略全ての部材を材料にリサイクルできる。なお、シート状緩衝材７及び角筒形緩衝材９を段ボール紙で構成したものについては、包装容器８だけが通い箱として利用され、紛失等が少なくなる。
【００１６】
実施の形態２．
図１０〜図１２によって示すこの実施の形態２は、実施の形態１で示した包装装置の包装容器の構造に工夫を講じたものであり、それ以外の構成は実施の形態１のものと同じである。従って、実施の形態１のものと同じ部分については実施の形態１のものと同じ符号を用い、それらについての説明は省略する。
【００１７】
この実施の形態２の包装装置は、二つの包装容器８に物品２の出っ張り１の傾斜面３に沿う一体の斜状のリブ１５が設けられている。二つの包装容器８は、個別の金型によって成形されるが、物品２の収まりが良く、リブ１５による筋交効果により包装容器８の肉厚を少なくしても緩衝保護機能を確保することができる。リブ１５は、出っ張り１の広い傾斜面３に沿って設ければ足りるが、小さい傾斜面４に沿うリブを設けてもよい。これ以外の機能は、実施の形態１のものと同じである。
【００１８】
【発明の効果】
本発明によれば、レンジフードファンのような前面が山形に膨らんだ出っ張りをなす略六面体の物品の包装に反復利用できる包装装置が得られ、各包装材をリサイクルすることもできる。
【図面の簡単な説明】
【図１】実施の形態１の包装装置で包装する物品を示す側面図である。
【図２】実施の形態１の包装装置の縦断側面図である。
【図３】実施の形態１の包装装置の横断平面図である。
【図４】実施の形態１の包装装置の包装容器の断面図である。
【図５】実施の形態１の包装装置の包装容器の平面図である。
【図６】実施の形態１の包装装置のシート状緩衝材の斜視図である。
【図７】実施の形態１の包装装置の角筒形緩衝材の斜視図である。
【図８】実施の形態１の他の包装装置の横断面図である。
【図９】実施の形態１の他の包装装置の縦断面図である。
【図１０】実施の形態２の包装装置の包装容器の側面図である。
【図１１】実施の形態２の包装装置の包装容器の平面図である。
【図１２】実施の形態２の包装装置の縦断面図である。
【符号の説明】
１  出っ張り、  ２  物品、  ３  傾斜面、  ６  付属品、  ７  シート状緩衝材、  ８  包装容器、  ９  角筒形緩衝材、  １０  ＰＰバンド、  １１  平面部、  １２  周側壁、  １３  凹部、  １４  二重構造、  １５  リブ。
【図１】
2005029190.tif 000003
【図２】
2005029190.tif 000004
【図３】
2005029190.tif 000005
【図４】
2005029190.tif 000006
【図５】
2005029190.tif 000007
【図６】
2005029190.tif 000008
【図７】
2005029190.tif 000009
【図８】
2005029190.tif 000010
【図９】
2005029190.tif 000011
【図１０】
2005029190.tif 000012
【図１１】
2005029190.tif 000013
【図１２】
2005029190.tif 000014